(57)【要約】【課題】排水管と固定用筒体との軸芯がずれた場合であっても漏水を発生することなく確実に接続することができるとともに、床化粧材の張り替えに際して部品を再利用して簡単に修復する。【解決手段】床上に設けられる排水トラップＴなどの器具と、床下に敷設される排水管Ｐを接続する接続用アダプタ１であって、接続筒２と、蛇腹ホース４の両端にそれぞれ接続部材５，６が設けられた接続ホース３とから構成され、接続筒２の一端に接続ホース３の一端がその一端側接続部材５を介して着脱自在に接続されている。そして、接続ホース３の他端がその他端側接続部材６を介して排水管Ｐに連結され、接続筒２の他端に器具が連結される。【選択図】図２
2009133156.tif 000002
【特許請求の範囲】
【請求項１】
床上に設けられる器具と、床下に敷設される排水管を接続する接続用アダプタであって、接続筒と、蛇腹ホースの両端にそれぞれ接続部材が設けられた接続ホースとから構成され、接続筒の一端に接続ホースの一端がその一端側接続部材を介して着脱自在に接続されてなり、接続筒の他端に器具が連結される一方、接続ホースの他端がその他端側接続部材を介して排水管に連結されることを特徴とする排水管と器具との接続用アダプタ。
【請求項２】
請求項１記載の排水管と器具との接続用アダプタにおいて、前記接続筒の他端に予め器具が連結されることを特徴とする排水管と器具との接続用アダプタ。
【請求項３】
請求項１または２記載の排水管と器具との接続用アダプタにおいて、前記接続筒が無色透明または有色透明もしくは半透明の樹脂から形成されることを特徴とする排水管と器具との接続用アダプタ。
【発明の詳細な説明】
【技術分野】
【０００１】
この発明は、設備機器、例えば、洗濯機などからの排水を床下に敷設された排水管に排水するための排水管と器具との接続用アダプタに関するものである。
【背景技術】
【０００２】
一般に、洗濯機からの排水を床下に敷設された排水管に排水するに際して、排水管に排水トラップを連結するとともに、排水トラップのエルボに排水ホースを接続し、洗濯機の排水を排水ホースを経て排水トラップに導き、臭気の逆流を防止しつつ排水管に排水するようにしている（例えば、特許文献１参照）。
【特許文献１】特開２００７−２３６８８号公報
【発明の開示】
【発明が解決しようとする課題】
【０００３】
ところで、前述した排水トラップにおいては、トラップ本体を配設するための固定用筒体を排水管に接着剤を介して一体に連結し、固定用筒体のフランジ部を床材にネジ固定するようにしていることから次のような問題があった。
【０００４】
アパートなどの賃貸住宅において、クッションフロアなどの床化粧材の張り替えを行う場合、排水管と固定用筒体とが一体に接着されているため、固定用筒体を床板から取り外すことができず、床化粧材を張り替えることができないものとなる。このため、排水管の上端部を切断し、固定用筒体とともに排水管の上端部を床板から除去した後、床化粧材の張り替えを行う。そして、床化粧材の張り替えが終了した後、排水管の上端部にソケットを介して切断した長さに相当する長さの接続筒を接着剤を介して接着するとともに、接続筒の上端部に新たな固定用筒体を接着剤を介して接着し、新たな固定用筒体にトラップ本体を配設するものである。
【０００５】
このように、床化粧材の張り替えに際して、作業者は床下空間に入り込んで排水管の切断および切断された排水管の修復作業を行う必要があり、作業が煩雑になるとともに、部品の再利用を図ることができず、コストがかさむものとなる。
【０００６】
また、戸建て住宅の給水排水配管の施工は、通常、建物基礎、建物骨格、外壁、屋根ができあがり、一階床、一階天井、二階天井、二階床および各部屋の間仕切り壁ができあがる前の段階で実施される。例えば、床下となる建物の基礎土間から各設備機器に向けて配管を敷設し、基礎土間に配管を固定するとともに、基礎土間から各設備機器までの高さを想定して切断される。したがって、後工程で床を施工し、設備機器に合わせて床板に取付穴を形成した場合に、先に設備機器に合わせて立ち上げた排水管の軸芯と、取付穴の軸芯とに位置ズレが発生すると、排水管に固定用筒体を垂直に接続することができず、水漏れを発生するおそれがある。
【０００７】
本発明は、このような問題点に鑑みてなされたもので、排水管と固定用筒体との軸芯がずれた場合であっても漏水を発生することなく確実に接続することができるとともに、床化粧材の張り替えに際して部品を再利用して簡単に修復することのできる排水管と器具との接続用アダプタを提供するものである。
【課題を解決するための手段】
【０００８】
本発明は、床上に設けられる器具と、床下に敷設される排水管を接続する接続用アダプタであって、接続筒と、蛇腹ホースの両端にそれぞれ接続部材が設けられた接続ホースとから構成され、接続筒の一端に接続ホースの一端がその一端側接続部材を介して着脱自在に接続されてなり、接続筒の他端に器具が連結される一方、接続ホースの他端がその他端側接続部材を介して排水管に連結されることを特徴とするものである。
【０００９】
本発明によれば、接続筒と、接続ホースの一端とがその一端側接続部材を介して着脱自在に接続されていることにより、接続筒の他端を床板の取付穴に臨ませて器具を連結することができるとともに、接続ホースの他端をその他端側接続部材を介して排水管に連結することができる。
【００１０】
したがって、排水管の軸芯と床板の取付穴の軸芯とに位置ズレが発生したとしても、接続ホースの蛇腹ホースの可撓性を利用して器具と接続筒とを漏水を発生することなく連結することができる。また、床化粧材の張り替えに際して、接続筒と接続ホースとの接続を解除することができることから、器具が連結された接続筒を床板から取り外すことができ、床化粧材の張り替えを効率よく行うことができる。また、床化粧材の張り替えが終了すれば、器具が連結された接続筒と接続ホースとを接続すればよく、部品をそのまま再利用することができる。
【００１１】
本発明において、前記接続筒の他端に予め器具が連結されていてもよい。これにより、現場での連結作業が不要となり、リフォームなどにおいて、器具を容易に交換できる。
【００１２】
本発明において、前記接続筒が無色透明または有色透明もしくは半透明の樹脂から形成されることが好ましい。これにより、接続筒と器具とが接着剤を介して接着されているとき、接続筒を通して器具との接着剤による接着状況を把握することができる。
【発明の効果】
【００１３】
本発明によれば、排水管と固定用筒体との軸芯がずれた場合であっても漏水を発生することなく確実に接続することができるとともに、床化粧材の張り替えに際して部品を再利用して簡単に修復することができる。
【発明を実施するための最良の形態】
【００１４】
以下、本発明の実施の形態を図面に基づいて説明する。
【００１５】
図１には、本発明の排水管と器具との接続用アダプタの一実施形態が示されている。
【００１６】
この接続用アダプタ１は、接続筒２と、接続筒２と着脱自在に接続された接続ホース３とから構成され、接続筒２の他端に器具、例えば、排水トラップＴ（図２参照）が連結される一方、接続ホース３の他端に排水管Ｐ（図２参照）が着脱自在に連結される。
【００１７】
接続筒２は、無色透明な樹脂製のパイプであって、その下端部外周面には雄ねじ２ａが形成されている。
【００１８】
接続ホース３は、蛇腹ホース４の両端にそれぞれ接続部材５，６が設けられて形成される。接続ホース３の一端側接続部材５は、蛇腹ホース４の内径に対応する外径の内周壁５１１および蛇腹ホース４の外径よりも若干大きな内径の外周壁５１２を有するインナー５１と、インナー５１に回転自在に装着された袋ナット５２とからなり、インナー５１の内周壁５１１が蛇腹ホース４の一端側内部に挿入されて接着剤を介して連結されている。そして、袋ナット５２には、接続筒２の下端部外周面に形成された雄ねじ２ａに螺合可能な雌ねじ５２ａが形成されている。
【００１９】
一方、接続ホース３の他端側接続部材６は、蛇腹ホース４の内径に対応する外径の周壁を有するインナー６１と、インナー６１に回転自在に装着された袋ナット６２と、袋ナット６２に着脱自在に接続された連結材６３とからなり、インナー６１の周壁が蛇腹ホース４の他端側内部に挿入されて接着剤を介して連結されている。そして、袋ナット６２には、連結材６３の上部外周面に形成された雄ねじ６３ａに螺合可能な雌ねじ６２ａが形成されている。また、連結材６３は、筒体６３１の略中間部に、袋ナット６２の外径とほぼ同径のフランジ６３２を設けて形成され、筒体６３１の上部外周面には、袋ナット６２の雌ねじ６２ａに螺合可能な雄ねじ６３ａが形成される一方、筒体６３１の下部外周面の径は、排水管Ｐの内径に対応して設定されている。
【００２０】
なお、インナー５１，６１には、パッキン７がそれぞれ配設されており、接続筒２の先端面および連結材６３の先端面に密着して排水の漏洩を防止するものである。
【００２１】
次に、このように構成された接続用アダプタ１を用いて排水管Ｐと排水トラップＴを接続する施工要領について図２に基づいて説明する。
【００２２】
ここで、排水管Ｐは、予め床板Ｆの取付穴Ｆａの近傍まで立ち上げられている。
【００２３】
まず、床下空間に接続用アダプタ１を持ち込み、接続ホース３の接続部材６における連結材６３の筒体６３１の下部外周面に接着剤を塗布し、排水管Ｐの内部に挿入して排水管Ｐに連結材６３を接着する。次いで、接続用アダプタ１の接続筒２を床板Ｆの取付穴Ｆａに差し込み、床上において、排水トラップＴの固定用筒体Ｔ１の外周面に接着剤を塗布して接続筒２の内部にそのフランジ（図示せず）が当接するまで挿入して連結する。この際、接続筒２と固定用筒体Ｔ１の接着剤による接着状況を透明な接続筒２を通して床下空間から把握することができる。また、排水管Ｐと床板Ｆに形成された取付穴Ｆａとに芯ズレが発生したとしても、接続用アダプタ１における接続ホース３の蛇腹ホース４の可撓性によって芯ズレを吸収することができ、接続筒２と固定用筒体Ｔ１とを漏水を発生させることなく確実に接着して連結することができる。
【００２４】
接続筒２に対する固定用筒体Ｔ１の連結が終了したならば、固定用筒体Ｔ１のフランジを床板Ｆにビス止めした後、トラップ本体Ｔ２にエルボＴ３を嵌入してトラップ本体Ｔ２とエルボＴ３とを連結した状態で、固定用筒体Ｔ１を通して接続筒２内に挿入する。この後、ロックナットＴ４を固定用筒体Ｔ１にねじ込めば、トラップ本体Ｔ２およびエルボＴ３を固定用筒体Ｔ１に取り付けることができる。
【００２５】
このようにして取り付けられた排水トラップＴにおいては、エルボＴ３に、例えば、洗濯機の排水ホースを差し込んで連結することにより、洗濯機からの排水を排水ホースを経て排水トラップＴに流入させた後、臭気の逆流を防止して接続用アダプタ１および排水管Ｐを通して下水道に排水することができる。
【００２６】
ところで、床板Ｆに敷設された床化粧材の張り替えが必要になった場合は、図示しない排水ホースをエルボＴ３から引き抜いた後、ロックナットＴ４を緩め、エルボＴ３およびトラップ本体Ｔ２を引き上げて固定用筒体Ｔ１から離脱させる。また、床下空間において、接続用アダプタ１の接続筒２に対して接続ホース３における接続部材５の袋ナット５２を緩め、接続筒２から接続ホース３を取り外す。この後、床上において、ビスを緩めて固定用筒体Ｔ１を床板Ｆから取り外す。これにより、接続筒２が接着連結された固定用筒体Ｔ１を床板Ｆの取付穴Ｆａから引き上げることができ、床板Ｆの床化粧材を張り替えるに際して作業を阻害する固定用筒体Ｔ１を含めて排水トラップＴを除去することが可能となり、効率よく床化粧材の張り替え作業を行うことができる。
【００２７】
床化粧材の張り替えが終了したならば、固定用筒体Ｔ１が接着連結された接続筒２を床板Ｆの取付穴Ｆａを通して床下側に挿入し、固定用筒体Ｔ１のフランジを床板Ｆの取付穴Ｆａ周縁に支持してビス止めした後、トラップ本体Ｔ２およびエルボＴ３を固定用筒体Ｔ１を通して接続筒２内に挿入する。一方、床下空間において、前述とは逆に、接続用アダプタ１の接続筒２に接続ホース３における接続部材５の袋ナット５２をねじ込み、接続筒２に接続ホース３を接続すればよい。
【００２８】
この結果、接続用アダプタ１および排水トラップＴをそのまま再利用しつつ、接続筒２と接続ホース３のねじ結合、あるいは、ねじ結合の解除といった簡単な作業によって床化粧材の張り替え作業に対応することができる。
【００２９】
なお、前述した実施形態においては、接続筒２に連結される器具として、排水トラップＴを例示したが、排水トラップＴに限定するものではなく、例えば、目皿や目皿付き排水トラップであってもよい。
【００３０】
また、接続筒２を無色透明樹脂で成形した場合を説明したが、半透明あるいは有色透明であっても構わない。
【００３１】
さらに、接続用アダプタ１として、接続筒２と接続ホース３とを接続状態で作業する場合を例示したが、接続筒２および接続ホース３を分離しておき、接続筒２に排水トラップＴなどの器具を予め連結しておいてもよい（図３参照）。これにより、リフォーム、変更、更新などにおいて、容易に交換できるものとなる。
【図面の簡単な説明】
【００３２】
【図１】本発明の排水管と器具との接続用アダプタの一実施形態を示す半断面図である。
【図２】図１の接続用アダプタを用いて排水管と排水トラップを接続する施工要領を説明する分解図である。
【図３】図１の接続用アダプタの接続筒および接続ホースを分離した状態を示す説明図である。
【符号の説明】
【００３３】
１  接続用アダプタ
２  接続筒
２ａ  雄ねじ
３  接続ホース
４  蛇腹ホース
５，６  接続部材
５１，６１  インナー
５２，６２  袋ナット
６３  連結材
Ｔ  排水トラップ
Ｐ  排水管
【図１】
2009133156.tif 000003
【図２】
2009133156.tif 000004
【図３】
2009133156.tif 000005